(57)【要約】      （修正有）【課題】洗浄機本体の外面にガスブースターの排気筒が設けられた洗浄機を据え付ける場合に、適正な離隔距離を確保することができる洗浄機を提供する。【解決手段】食器洗浄機１は、食器を洗浄する洗浄室３、洗浄室に供給する水を加熱するガスブースター６０を収容する機械室４、及び洗浄室３を開閉するために可動可能に設けられるドア７を有する洗浄機本体２と、洗浄機本体２におけるドア７以外の外面に沿って少なくとも一部が配置されると共に鉛直方向に沿って延在し、延在方向における上端の排気口９４からガスブースター６０の排気を排出する外部ダクト９０と、外部ダクト９０に設けられており、外部ダクト９０から見て背面パネルが配置されている側とは反対側に突出するスペーサ部と、を備える。【選択図】図１
2022002609.tif 000002
【特許請求の範囲】
【請求項１】
被洗浄物を洗浄する洗浄室、前記洗浄室に供給する水を加熱するガスブースターを収容する機械室、及び前記洗浄室を開閉するために可動可能に設けられるドアを有する洗浄機本体と、
前記洗浄機本体における前記ドア以外の外面に沿って少なくとも一部が配置されると共に鉛直方向に沿って延在し、延在方向における上端の排気口から前記ガスブースターの排気を排出する排気筒と、
前記排気筒に設けられており、前記排気筒から見て前記外面が配置されている側とは反対側に突出するスペーサ部と、を備える、洗浄機。
【請求項２】
前記スペーサ部は、前記排気筒を構成する部材の一部が曲げ加工された部位によって形成されている、請求項１記載の洗浄機。
【請求項３】
前記排気筒は、鉛直方向において前記洗浄機本体よりも上方にまで延在しており、
前記排気口は、鉛直方向上方が覆われると共に、鉛直方向上方から見た平面視において前記洗浄機本体側に向かって開口している、請求項１又は２記載の洗浄機。
【請求項４】
前記排気筒は、鉛直方向下方から上方に向かって直線状に延在する本体部材と、前記本体部材の鉛直方向における上端に着脱可能に設けられると共に前記排気口を形成する排気口形成部材と、を有し、
前記スペーサ部は、前記排気口形成部材に形成されている、請求項１〜３の何れか一項記載の洗浄機。
【請求項５】
前記洗浄機本体は、前記ドアを鉛直方向に移動可能に保持案内する二つの支柱と、二つの前記支柱を接続する背面パネルを更に有し、
前記支柱に前記ドアが保持される方向を前方としたとき、前記背面パネルは、前記支柱の後方側の後面部に対して、前方側にオフセットした状態で設けられており、
前記排気筒は、二つの前記支柱の対向方向において、前記支柱の一方と前記背面パネルとの両方に跨がるように配置されると共に、前記排気筒の前面部の一部が一方の前記支柱の後面部に接触配置され、前記前面部の残りの一部は、前記背面パネルと間隔をあけて配置されている、請求項１〜４の何れか一項記載の洗浄機。
【発明の詳細な説明】
【技術分野】
【０００１】
本発明は、洗浄機に関する。
【背景技術】
【０００２】
特許文献１には、洗浄室内に高温の水を供給するためのガスブースターが食器洗浄機本体の側面に配置され、当該ガスブースターの排気を排出する排気筒が食器洗浄本体の背面に沿設されている食器洗浄機が開示されている。このような食器洗浄機は、背面を壁側に向けて設置されることが多く、背面に設けられる上記の排気筒と背後の壁等の離隔対象物との間には適正な離隔距離を確保しなければならないことが消防法等によって定められている。
【先行技術文献】
【特許文献】
【０００３】
【特許文献１】特開２００１−２３１７３６号公報
【発明の概要】
【発明が解決しようとする課題】
【０００４】
しかしながら、食器洗浄機の据付作業は、設置作業者の裁量に任せられているのが現状であり、適正な離隔距離が確保されない場合もある。このため、洗浄機本体の側面又は背面である外面に排気筒が設けられている洗浄機を据え付ける場合には、設置作業者によらず、適正な離隔距離が確保できることが求められている。
【０００５】
そこで、本発明は、洗浄機本体の外面にガスブースターの排気筒が設けられた洗浄機を据え付ける場合に、適正な離隔距離を確保することができる洗浄機を提供することを目的とする。
【課題を解決するための手段】
【０００６】
本発明に係る洗浄機は、被洗浄物を洗浄する洗浄室、洗浄室に供給する水を加熱するガスブースターを収容する機械室、及び洗浄室を開閉するために可動可能に設けられるドアを有する洗浄機本体と、洗浄機本体におけるドア以外の外面に沿って少なくとも一部が配置されると共に鉛直方向に沿って延在し、延在方向における上端の排気口からガスブースターの排気を排出する排気筒と、排気筒に設けられており、排気筒から見て外面が配置されている側とは反対側に突出するスペーサ部と、を備える。
【０００７】
この構成の洗浄機では、排気筒から見て洗浄機本体の外面が配置されている側（方向）とは反対側（方向）に突出するスペーサ部が設けられているので、設置作業者が、外面に排気筒が設けられた洗浄機を壁に近づけるように据え付けたとしても、スペーサ部が最初に接触し、設置作業者は、排気筒ひいては洗浄機をそれ以上壁に近づけることができなくなる。これにより、洗浄機本体の外面にガスブースターの排気筒が設けられた洗浄機を据え付ける場合に、適正な離隔距離を確保することができる。
【０００８】
本発明に係る洗浄機では、スペーサ部は、排気筒を構成する部材の一部が曲げ加工された部位によって形成されていてもよい。この構成では、排気筒を構成する部材と一体的にスペーサ部を形成することができるので、スペーサ部を容易に形成することができる。
【０００９】
本発明に係る洗浄機では、排気筒は、鉛直方向において洗浄機本体よりも上方にまで延在しており、排気口は、鉛直方向上方が覆われると共に、鉛直方向上方から見た平面視において洗浄機本体側に向かって開口していてもよい。この構成では、排気筒の上端から異物が入り込むことを防止することができる。更に、この構成では、排気ガスが洗浄機本体側に排出されるので、排気ガスが壁等の離隔対象物に与える影響を抑制することができる。
【００１０】
本発明に係る洗浄機では、排気筒は、鉛直方向下方から上方に向かって直線状に延在する本体部材と、本体部材の鉛直方向における上端に着脱可能に設けられると共に排気口を形成する排気口形成部材と、を有し、スペーサ部は、排気口形成部材に形成されていてもよい。排気筒は、内部を流れる排気ガスによって表面の温度が上昇し、その温度は排気ガスの発生源に近くなるほど、すなわち、鉛直方向において下方の位置ほど高くなる。この構成では、スペーサ部が設けられる排気口形成部材は、排気ガスの発生源から相対的に遠くに位置するので、排気筒の中でも温度が低くなる。これにより、スペーサ部が壁等の離隔対象物に与える影響を抑制することができる。
【００１１】
本発明に係る洗浄機では、洗浄機本体は、ドアを鉛直方向に移動可能に保持案内する二つの支柱と、二つの支柱を接続する背面パネルを更に有し、支柱にドアが保持される方向を前方としたとき、背面パネルは、支柱の後方側の後面に対して、前方側にオフセットした状態で設けられており、排気筒は、二つの支柱の対向方向において、支柱の一方と背面パネルとの両方に跨がるように配置されると共に、排気筒の前面部の一部が一方の支柱の後面に接触配置され、前面部の残りの一部は、背面パネルと間隔をあけて配置されてもよい。この構成では、二つの支柱の対向方向において、支柱の一方と支柱に対して前方にオフセット配置された背面パネルとの両方に跨がるように排気筒を配置することで、排気筒の前面部の一部に、他の部位と接触しない部位（言い換えれば、外気と接触する部位）を設けることができる。これにより、排気筒において外気と接触する部位が冷却されやすくなるので、排気筒表面の温度を低下させることができる。
【発明の効果】
【００１２】
本発明によれば、洗浄機本体の外面にガスブースターの排気筒が設けられた洗浄機を据え付ける場合に、適正な離隔距離を確保することができる。
【図面の簡単な説明】
【００１３】
【図１】図１は、一実施形態に係る食器洗浄機を斜め前方から見た斜視図である。
【図２】図２は、一実施形態に係る食器洗浄機を斜め後方から見た斜視図である。
【図３】図３は、一実施形態に係る食器洗浄機の概略構成を示す断面図である。
【図４】図４は、すすぎタンク、ガスブースター、すすぎポンプ、循環ポンプ、及び排気ダクトの配置を示した斜視図である。
【図５】図５は、排気筒を構成する部材の分解斜視図である。
【図６】図６は、排気筒の長さを延長する場合に用いられる部材の構成を示した斜視図である。
【図７】図７は、図２の外部ダクトをVII−VII線に沿って下方から上方を見たときの断面図である。
【図８】図８は、変形例に係る食器洗浄機を斜め後方から見た斜視図である。
【図９】図９は、図８の外部ダクトをIX−IX線に沿って下方から上方を見たときの断面図である。
【発明を実施するための形態】
【００１４】
以下、添付図面を参照して、本発明の好適な実施形態について詳細に説明する。なお、図面の説明において同一又は相当要素には同一符号を付し、重複する説明は省略する。以下の説明における方向は、食器洗浄機（洗浄機）１を前方から見たときの方向、すなわち図１で規定する方向（上下方向、前後方向、左右方向）である。
【００１５】
図１〜図３に示されるように、食器洗浄機１は、洗浄機本体２を備えている。洗浄機本体２は、飲食後の皿や茶碗等の食器（被洗浄物）（以下、単に「食器」と称する。）を洗浄する洗浄室３と、洗浄室３に供給する水を加熱するガスブースター６０等を収容する機械室４と、を有している。
【００１６】
洗浄機本体２は、上側部分２Ａと下側部分２Ｂとに仕切られている。洗浄機本体２は、洗浄機本体２を覆うステンレス製のパネル５と、洗浄機本体２の背面（外面）側におけるコーナ部に配置され、上側部分２Ａと下側部分２Ｂとに渡って上下方向に延びるステンレス製の一対の支柱６，６と、洗浄室３を開閉するために可動可能に設けられるドア７と、を有している。
【００１７】
洗浄室３は、洗浄機本体２の上側部分２Ａに設けられており、一対の支柱６，６の間に配置されるステンレス製の背面パネル５Ａと、一対の支柱６，６に上下動自在に保持案内される箱型のドア７と、によって区画されることで形成されている。機械室４は、洗浄機本体２の下側部分２Ｂに設けられており、背面パネル５Ａと前面パネル５Ｂと左面パネル５Ｃと右面パネル５Ｄとによって覆われることで形成されている。
【００１８】
ドア７は、前方において水平方向に延在するハンドル８Ａによって上下動する。ハンドル８Ａの両端には左右一対の回動アーム８Ｂ，８Ｂの先端が固定され、回動アーム８Ｂ，８Ｂはドア７の側面７Ａに沿って斜めに配置されている。回動アーム８Ｂ，８Ｂには、ドア７の側面７Ａに沿って配置されたリンク部８Ｃの一端が回動自在に連結され、リンク部８Ｃの他端は、軸ピン８Ｄを介してドア７に連結されており、ハンドル８Ａの回動運動に対してドア７が上下運動可能となっている。
【００１９】
洗浄機本体２の底面の四隅には脚部９が取り付けられている。洗浄機本体２の側面には、食器洗浄機１を操作する操作パネル１０が設けられている。
【００２０】
洗浄室３の下部には、食器を収容可能な格子状の食器ラックが載置されるラックレール１１が着脱自在に配置されている。洗浄室３の上部には、放射状に延びる３本のアームからなる上側洗浄ノズル１２Ａと、２本のアームからなる上側すすぎノズル１３Ａとがそれぞれ回転自在に配置されている。同様に、洗浄室３の下部には、放射状に延びる３本のアームからなる下側洗浄ノズル１２Ｂと、２本のアームからなる下側すすぎノズル１３Ｂとがそれぞれ回転自在に配置されている。食器ラックに収容された食器は、上側洗浄ノズル１２Ａ及び下側洗浄ノズル１２Ｂによって上下から洗浄水が噴射され、上側すすぎノズル１３Ａ及び下側すすぎノズル１３Ｂによって上下からすすぎ水が噴射される。
【００２１】
洗浄室３の底部には、機械室４に突出するように洗浄タンク１５が設けられている。洗浄タンク１５は、洗浄室３に供給された水を貯留する。洗浄タンク１５は、ステンレス鋼等の材料から形成されている。洗浄タンク１５内には、洗浄水を所定温度に昇温（維持）するための洗浄水ヒータ１５Ａが設置されている。洗浄室３と洗浄タンク１５との間には、フィルタ１８が着脱自在に配置されている。洗浄タンク１５の前面には、洗浄水吸込口を介して洗浄ポンプ２３が接続されている。洗浄ポンプ２３の吐出口には洗浄水吐出管２１が接続されている。洗浄水吐出管２１は、第一洗浄水吐出管２１Ａと第二洗浄水吐出管２１Ｂとに分岐して、第一洗浄水吐出管２１Ａは上側洗浄ノズル１２Ａに接続され、第二洗浄水吐出管２１Ｂは下側洗浄ノズル１２Ｂに接続されている。
【００２２】
図３及び図４に示されるように、機械室４には、上述した洗浄ポンプ２３及び洗浄水吐出管２１と、すすぎタンク２５と、すすぎポンプ２７と、すすぎ水吐出管３１と、循環ポンプ７１と、第一循環管７２と、第二循環管７３と、ガスブースター６０と、ガスブースター６０を囲うカバー部材６５と、内部ダクト８１と、洗浄ポンプ２３、すすぎポンプ２７及び循環ポンプ７１に電力を供給する電源７９と、食器洗浄機１の動作全般を制御するコントローラ５０が内蔵された電装ボックス５０Ａと、が配置されている。
【００２３】
すすぎタンク２５は、初期給湯に利用される水、又はすすぎ工程におけるすすぎに利用される水を貯留する。すすぎタンク２５は、外部の水源から水が供給される給水管３５と、すすぎポンプ２７を介して洗浄室３に水を供給するすすぎ水吐出管３１と、循環ポンプ７１を介してガスブースター６０に水を供給する第一循環管７２と、ガスブースター６０から加熱された水が供給される第二循環管７３と、接続されている。
【００２４】
ガスブースター６０は、すすぎタンク２５から供給される水を加熱し、加熱した水をすすぎタンク２５に戻す。ガスブースター６０は、外部から供給される可燃ガスに、燃焼用空気を混合させて燃焼させることにより発生する熱で水を加熱する。カバー部材６５は、ガスブースター６０を収容し、断熱性の部材によって形成されている。カバー部材６５の上面には、ガスブースター６０の排気口６０Ａと連通する箱状の接続部６７が設けられている。接続部６７は、排気口６０Ａから排出される排気ガスを排気ダクト８０に誘導する。
【００２５】
排気ダクト８０は、ガスブースター６０において発生した排気ガスを洗浄機本体２の外部に排出する。排気ダクト８０は、機械室４（洗浄機本体２）の内部に配置される内部ダクト８１と、洗浄機本体２の外部に配置される外部ダクト（排気筒）９０と、を有し、この順番で接続されている。排気ダクト８０は、ステンレス鋼等の材料によって形成されている。内部ダクト８１は、機械室４の左面パネル５Ｃと洗浄タンク１５との間に配置され、接続部６７から背面パネル５Ａの外側の外部ダクト９０まで前後方向に延在している。外部ダクト９０については、後段にて詳述する。
【００２６】
すすぎポンプ２７の吐出口には、図３に示されるように、すすぎ水吐出管３１が接続されている。すすぎ水吐出管３１は、第一すすぎ水吐出管３１Ａと第二すすぎ水吐出管３１Ｂとに分岐して、第一すすぎ水吐出管３１Ａは上側すすぎノズル１３Ａに接続され、第二すすぎ水吐出管３１Ｂは下側すすぎノズル１３Ｂに接続されている。第一すすぎ水吐出管３１Ａは、第一洗浄水吐出管２１Ａ内に配置されている。すなわち、第一洗浄水吐出管２１Ａ及び第一すすぎ水吐出管３１Ａは、二重管構造を成している。
【００２７】
次に、外部ダクト９０について説明する。外部ダクト９０は、洗浄機本体２におけるドア７以外の外面に設けられると共に鉛直方向に沿って延在し、延在方向における上端の排気口９４からガスブースター６０の排気ガスを排出する。本実施形態では、図１〜図３に示されるように、外部ダクト９０は、洗浄機本体２の背面に設けられ、鉛直方向において洗浄機本体２（洗浄室３が閉じられた状態のドア７の上部）よりも上方にまで延在している。外部ダクト９０には、外部ダクト９０が設けられる洗浄機本体２の外面側とは反対側に突出するスペーサ部９５が設けられている。
【００２８】
図５に示されるように、外部ダクト９０は、鉛直方向下方から上方に向かって直線状に延在する本体部材９２と、内部ダクト８１と本体部材９２とを接続する接続部材９１と、本体部材９２の鉛直方向における上端に着脱可能に設けられると共に排気口９４を形成する排気口形成部材９３と、を有している。
【００２９】
接続部材９１は、後面部９１ａと、前面部９１ｂと、一対の側面部９１ｃ，９１ｃと、上面部９１ｄと、下面部９１ｅとからなる箱状部材である。前面部９１ｂには、内部ダクト８１との連通部分となる開口部９１ｆが形成されている。上面部９１ｄは、本体部材９２との連通部分となる開口部９１ｇと、本体部材９２との接続部分である接続部９１ｈ，９１ｈが形成されている。接続部材９１には、洗浄機本体２の背面の一部を構成する支柱６の後面部６Ｂｂ（図７参照）に固定するための固定部９１ｉ，９１ｉが形成されている。接続部材９１と支柱６とは、図示しないボルト等によって接続され得る。
【００３０】
本体部材９２は、後面部９２ａと、前面部９２ｂと、一対の側面部９２ｃ，９２ｃとからなる筒状部材である。本体部材９２の下端は、接続部材９１との連通部分となる開口部９２ｅと、接続部材９１との接続部分となる接続部９２ｆ，９２ｆが形成されている。本体部材９２の上端は、排気口形成部材９３との連通部分となる開口部９２ｇと、排気口形成部材９３との接続部分となる接続部９２ｈ，９２ｈが形成されている。本体部材９２には、洗浄機本体２の背面の一部を構成する支柱６の後面部６Ｂｂ（図７参照）に固定するための固定部９２ｉ，９２ｉが形成されている。本体部材９２と接続部材９１とは、図示しないボルト等によって接続され得る。本体部材９２と支柱６とは、図示しないボルト等によって接続され得る。
【００３１】
排気口形成部材９３は、後面部９３ａと、上面部９３ｂと、一対の側面部９３ｃ，９３ｃとからなり、本体部材９２の上端を覆う部材である。上面部９３ｂは、後面部９３ａの上端から一対の側面部９３ｃ，９３ｃの上端に沿って斜め上方に延在する。排気口形成部材９３の下端は、本体部材９２に取り付けられたときに本体部材９２との連通部が形成される。排気口形成部材９３の後面部９３ａと対向する部分は、本体部材９２に取り付けられたときに排気口９４となる開口部が形成される。排気口９４は、鉛直方向上方が覆われると共に、鉛直方向上方から見た平面視において洗浄機本体２側（すなわち食器洗浄機１の前方）に向かって開口する。排気口形成部材９３と本体部材９２とは、ボルト９６等によって接続され得る。
【００３２】
本実施形態では、排気口形成部材９３の後面部９３ａに、外部ダクト９０が設けられる洗浄機本体２の外面側とは反対側に突出するスペーサ部９５が設けられる。スペーサ部９５は、排気口形成部材９３を構成する部材の一部が曲げ加工された部位によって形成されている。より詳細には、スペーサ部９５は、排気口形成部材９３の後面部９３ａにおける下端が水平方向後方に折り曲げられることによって形成されている。スペーサ部９５の後面部９３ａからの折曲量、すなわち後方への出幅Ｌは、例えば５ｍｍ〜１０ｍｍであり、スペーサ部９５の出幅は、離隔対象物に対して求められる離隔距離に合わせて適宜調整される。
【００３３】
スペーサ部９５は、食器洗浄機１の背面が壁等の離隔対象物に対向する状態で食器洗浄機１が離隔対象物に近づけられたときにその離隔対象物に最初に接触する部材である。このため、スペーサ部９５は、食器洗浄機１の背面が離隔対象物に対向するように据え付ける場合に、外部ダクト９０と離隔対象物に対して求められる距離を確保する部材となる。設置作業者は、このスペーサ部９５が離隔対象物に接触するように食器洗浄機１を据え付けてもよいし、スペーサ部９５が離隔対象物に接触しないように食器洗浄機１を離隔対象物に近接させて据え付けてもよい。なお、本実施形態では、スペーサ部９５において離隔対象物と接触する可能性のある部分は水平方向に延在しており、その部分の厚みは、例えば０．５ｍｍ〜２．０ｍｍである。
【００３４】
接続部材９１と、本体部材９２と、排気口形成部材９３とは、それぞれが接続された状態において、接続部材９１の後面部９１ａと、本体部材９２の後面部９２ａと、排気口形成部材９３の後面部９３ａとが面一となる。このため、スペーサ部９５によって排気口形成部材９３の後面部９３ａと離隔対象物との間で適正な離隔距離が保たれれば、接続部材９１の後面部９１ａと離隔対象物との間、及び本体部材９２の後面部９２ａと離隔対象物との間も、適正な離隔距離が保たれる。
【００３５】
外部ダクト９０は、図６に示されるように、外部ダクト９０における排気口９４の高さ位置を調整するための延長部材９７を取り付けることが可能である。延長部材９７は、後面部９７ａと、前面部９７ｂと、一対の側面部９７ｃ，９７ｃとからなる筒状部材である。延長部材９７の下端は、本体部材９２との連通部分となる開口部９７ｅが形成されている。延長部材９７の上端は、排気口形成部材９３との連通部分となる開口部９７ｇと、排気口形成部材９３との接続部分となる接続部９７ｈ，９７ｈが形成されている。延長部材９７と本体部材９２とは、図示しないボルト等によって接続され得る。延長部材９７と排気口形成部材９３とは、ボルト９６等によって接続され得る。
【００３６】
次に、図７を用いて、洗浄機本体２における上側部分２Ａの背面の構成及び外部ダクト９０の取付構成について説明する。図７に示されるように、洗浄機本体２における上側部分２Ａの背面は、支柱６と、背面パネル５Ａと、を有している。支柱６は、支柱部６Ａと、第一フレーム６Ｂと、第二フレーム６Ｃとを有している。支柱部６Ａは、角筒状に形成された部材であり、ドア７の上げ下げの利用に供されるばね部材（図示せず）等が収容される。第一フレーム６Ｂは、支柱部６Ａを内包する部材であり、支柱６の側面部６Ｂａ及び後面部６Ｂｂを形成している。第二フレーム６Ｃは、第一フレーム６Ｂに接続されており、ドア７に設けられるローラ（図示せず）等を収容する収容部６Ｃａを形成し、ドア７を保持案内する部材である。
【００３７】
背面パネル５Ａは、一対の支柱６，６を接続する部材であり、より詳細には、一対の支柱６，６の第二フレーム６Ｃ同士を接続している。背面パネル５Ａは、洗浄機本体２の背面の一部を構成する背面部５Ａａと、第二フレーム６Ｃに接続される部分である接続部５Ａｂと、を有している。背面パネル５Ａは、前後方向において、支柱６の後面部６Ｂｂを形成する第一フレーム６Ｂから前方にオフセット配置されており、そのオフセット量Ｇは、例えば、５ｍｍ〜１０ｍｍである。
【００３８】
外部ダクト９０は、二つの支柱６，６の対向方向（左右方向）において、支柱６の一方と背面パネル５Ａとの両方に跨がるように配置されると共に、外部ダクト９０の本体部材９２における前面部９２ｂの一部が一方の支柱６の後面部６Ｂｂに接触配置され、前面部９２ｂの残りの一部は、背面パネル５Ａの背面部５Ａａと間隔をあけて配置されている。
【００３９】
本実施形態の食器洗浄機１の作用効果について説明する。図５に示されるように、上記実施形態の食器洗浄機１では、外部ダクト９０に後方に突出するスペーサ部９５が設けられているので、設置作業者が、食器洗浄機１の背面に外部ダクト９０が設けられた食器洗浄機１を壁等の離隔対象物に近づけるように据え付けたとしても、スペーサ部９５が最初に接触し、外部ダクト９０ひいては食器洗浄機１をそれ以上離隔対象物に近づけることができない。これにより、洗浄機本体２の背面にガスブースター６０の外部ダクト９０が設けられた食器洗浄機１を据え付ける場合に、外部ダクト９０の後面部９２ａと離隔対象物との距離が保たれ、適正な離隔距離を確保することができる。
【００４０】
上記実施形態の食器洗浄機１では、スペーサ部９５は、外部ダクト９０を構成する部材の一部である排気口形成部材９３が曲げ加工された部位によって形成されている。これにより、外部ダクト９０を構成する部材と一体的にスペーサ部９５を形成することができるので、スペーサ部９５を容易に形成することができると共に、部品点数の低減化が図れる。また、排気口形成部材９３を形成する後面部９３ａの下端となる辺が折り曲げられているので、スペーサ部９５の左右方向における幅（サイズ）を、排気口形成部材９３の左右方向における幅、すなわち外部ダクト９０の左右方向における幅と同じとすることができるので、外部ダクト９０が離隔対象物と接触することを確実に防止できる。また、外部ダクト９０を構成する部材と一体的に構成されているので、スペーサ部が外部ダクト９０と別部品として構成される場合に発生する部品の付け忘れを回避できる。
【００４１】
また、このような外部ダクト９０は、内部を流れる排気ガスによって表面の温度が上昇し、その温度は排気ガスの発生源に近くなるほど、すなわち、鉛直方向において下方の位置ほど高くなるところ、上記実施形態の構成では、スペーサ部９５が設けられる排気口形成部材９３は、排気ガスの発生源から相対的に遠くに位置するので、外部ダクト９０の中でも温度が低くなる。これにより、スペーサ部９５が壁等の離隔対象物に与える影響を抑制することができる。
【００４２】
上記実施形態の食器洗浄機１では、図１〜図３に示されるように、外部ダクト９０は、鉛直方向において洗浄機本体２よりも上方にまで延在しており、排気口９４は、鉛直方向上方が覆われると共に、鉛直方向上方から見た平面視において洗浄機本体２側（上記実施形態では前方）に向かって開口している。この構成では、外部ダクト９０の上端から異物が入り込むことを防止することができる。更に、この構成では、排気ガスが洗浄機本体２側に排出されるので、排気ガスが壁等の離隔対象物に与える影響を抑制することができる。
【００４３】
上記実施形態の食器洗浄機１では、図７に示されるように、外部ダクト９０は、二つの支柱６，６の対向方向において、一対の支柱６，６の一方と背面パネル５Ａとの両方に跨がるように配置されると共に、外部ダクト９０の本体部材９２における前面部９２ｂの一部が一方の支柱６の後面部６Ｂｂに接触配置され、前面部９２ｂの残りの一部は、背面パネル５Ａと間隔をあけて配置されている。この構成では、二つの支柱６，６の対向方向において、二つの支柱６，６の一方と支柱６に対して前方にオフセット配置された背面パネル５Ａとの両方に跨がるように外部ダクト９０を配置することで、外部ダクト９０の本体部材９２における前面部９２ｂの一部に、他の部位と接触しない部位（言い換えれば、外気と接触する部位）を設けることができる。これにより、外部ダクト９０において外気と接触する部位が冷却されやすくなり、外部ダクト９０の表面の温度を低下させること（冷却性を向上させること）ができる。外部ダクト９０を食器洗浄機１の背面からオフセットして配置すると外部ダクト９０の冷却性を向上させることができる。また、外部ダクト９０を食器洗浄機１の背面に接触して配置すると外部ダクト９０の安定性が向上する。本実施形態では、外部ダクト９０の本体部材９２における前面部９２ｂの一部を、食器洗浄機１の背面を構成する支柱６の一部に接触した状態とし、外部ダクト９０の本体部材９２における前面部９２ｂの残りの一部を、食器洗浄機１の背面を構成する背面パネル５Ａからオフセットした状態としているので、外部ダクト９０の冷却性の向上及び安定性の向上の両方を達成することができる。
【００４４】
以上、本発明の実施形態について説明してきたが、本発明は必ずしも上述した実施形態に限定されるものではなく、その要旨を逸脱しない範囲で様々な変更が可能である。
【００４５】
図８及び図９に示されるように、上記実施形態の構成に加えて、外部ダクト９０のカバー１００を備える構成の食器洗浄機１として構成してもよい。カバー１００は、外部ダクト９０のサイズよりも一回り大きく形成されており、洗浄機本体２に取り付けられたときに、外部ダクト９０の外表面と間隔をあけた状態で取り付けられる。また、カバー１００が取り付けられる場合も、スペーサ部９５によって、外部ダクト９０の後面部９２ａとカバー１００との間の距離が保たれ、ひいては外部ダクト９０と離隔対象物との適正な離隔距離を確保することができる。
【００４６】
カバー１００は、延在方向に直交する断面の形状が略コの字状に形成されており、一方の端部１００ａが支柱６の後面部６Ｂｂとなる第一フレーム６Ｂに取り付けられ、他方の端部１００ｂが外部ダクト９０の前面部９１ｂ，９２ｂに取り付けられている。カバー１００と外部ダクト９０とは、ボルト９６等によって接続され得る。この構成では、外部ダクト９０とカバー１００との間に空気層が設けられるので、外部ダクト９０の熱がカバー１００に伝熱することを抑制できる。すなわち、この構成では、食器洗浄機１から発生する輻射熱を抑制することができる低輻射型の食器洗浄機１とすることができる。
【００４７】
上記実施形態及び変形例では、スペーサ部９５が排気口形成部材９３に一体的に形成される例を挙げて説明したが、この構成に代えて又は加えて、接続部材９１及び本体部材９２の少なくとも一方にスペーサ部９５を設けてもよい。また、上記実施形態では、スペーサ部９５（スペーサ部９５において離隔対象物と接触する可能性のある部分）が水平方向に延在している例を挙げて説明したが、水平方向以外の所定の一方向に延在していてもよく、例えば鉛直方向に延在してもよい。また、スペーサ部９５は、外部ダクト９０を構成する部材とは別部材として構成され、外部ダクト９０を構成する部材に設けられてもよい。
【００４８】
上記実施形態及び変形例では、食器洗浄機１の背面（外面）に外部ダクト９０が設けられる例を挙げて説明したが、食器洗浄機１の側面（外面）に設けられてもよい。この場合であっても、外部ダクト９０と、食器洗浄機１の側面に対向する壁等の離隔対象物との適正な離隔距離を確保することができる。
【００４９】
上記実施形態及び変形例では、外部ダクト９０は、食器洗浄機１の背面又は側面である外面に沿って配置されると共に、その一部が外部ダクト９０に接触した状態で固定されている例を挙げて説明したがこれに限定されない。例えば、外部ダクト９０は、食器洗浄機１の外面に沿って配置されると共に一部が接触した状態ではあるものの外面に固定されていなくてもよい。また、例えば、外部ダクト９０は、食器洗浄機１の外面から隙間があけた状態で外面に沿って配置されていてもよい。
【００５０】
上記実施形態及び変形例では、すすぎタンク２５に貯留された水をガスブースター６０で加熱し、加熱した水を再びすすぎタンク２５に戻す循環タイプの加熱構成を例に挙げて説明したが、外部から供給された水をガスブースター６０で加熱し、加熱した水をすすぎタンク２５に供給するタイプの構成としてもよい。
【００５１】
上記実施形態及び変形例では、ドア７が上下に移動することで洗浄室３を開放するいわゆるドアタイプの食器洗浄機１を例に挙げて説明したが、例えば、洗浄機本体の前面側にドアが設けられ、回動軸を軸に回動することで洗浄室を開放するタイプの食器洗浄機や、食器を収容するためのラックを搬送しながら洗浄を行うコンベアタイプの食器洗浄機等にも適用することができる。
【００５２】
本発明は、発明の趣旨を逸脱しない範囲で、上記実施形態、上記変形例及びその他の変形例として記載の内容を適宜組み合わせてもよい。
【符号の説明】
【００５３】
１…食器洗浄機（洗浄機）、２…洗浄機本体、３…洗浄室、４…機械室、５Ａ…背面パネル、６…支柱、７…ドア、６０…ガスブースター、８０…排気ダクト、８１…内部ダクト、９０…外部ダクト（排気筒）、９１…接続部材、９２…本体部材、９３…排気口形成部材、９４…排気口、９５…スペーサ部、９７…延長部材、１００…カバー。
【図１】
2022002609.tif 000003
【図２】
2022002609.tif 000004
【図３】
2022002609.tif 000005
【図４】
2022002609.tif 000006
【図５】
2022002609.tif 000007
【図６】
2022002609.tif 000008
【図７】
2022002609.tif 000009
【図８】
2022002609.tif 000010
【図９】
2022002609.tif 000011